(57)【要約】【課題】再熱除湿の際、従来は、室温のみから目標蒸発器温度を決定していたため、能力の小さな機種では、必要な再熱能力を確保できず、室温が低下してしまう場合があった。【解決手段】本発明の空気調和機の制御方法は、従来の室温による目標蒸発気温度による周波数制御に加え、外気温度や凝縮器温度、室温などから、再熱能力が足りないと判断した場合には、目標蒸発器温度を補正するものである。このことにより、本体能力や運転条件に応じた運転が可能となり、快適性や応答性の向上を図ることができる。【選択図】図１
2008292027.tif 000002
【特許請求の範囲】
【請求項１】
再熱除湿機能を有する空気調和機において、室温を検出するステップと、検出された前記室温から目標相対湿度に相当する目標蒸発器温度を決定するステップと、外気温度を検出するステップと、検出された前記外気温度に基づいて前記目標蒸発器温度を変更するステップと、前記目標蒸発器温度に基づいて蒸発器の温度が前記目標蒸発器温度になるように圧縮機の運転周波数を制御するステップとを有する空気調和機の制御方法。
【請求項２】
前記目標蒸発器温度を変更するステップが、検出された前記外気温度と前記室温との差に基づいて前記目標蒸発器温度を変更する請求項１に記載の空気調和機の制御方法。
【請求項３】
凝縮器の温度を検出するステップと室外ファンの回転数を検出するステップとをさらに有し、検出された前記凝縮器の温度と前記室外ファンの回転数とに基づいて前記目標蒸発器温度を変更する請求項１に記載の空気調和機の制御方法。
【請求項４】
設定温度を設定するステップと室外ファンの回転数を検出するステップとをさらに有し、前記設定温度と前記室外ファンの回転数とに基づいて前記目標蒸発器温度を変更する請求項１に記載の空気調和機の制御方法。
【請求項５】
遠隔操作により設定温度を設定するステップをさらに有し、前記設定温度が変更された場合に前記目標蒸発器温度を変更する請求項１に記載の空気調和機の制御方法。
【発明の詳細な説明】
【技術分野】
【０００１】
本発明は再熱除湿機能を有する空気調和機の制御方法に関するものである。
【背景技術】
【０００２】
従来、この種の空気調和機では、室内温度検出手段によって検出された部屋の温度から、その部屋の目標相対湿度に相当する目標蒸発器温度を決定し、目標蒸発器温度に基づいて、圧縮機運転周波数を制御していた。
【特許文献１】特開２００６−１４５２０４号公報
【発明の開示】
【発明が解決しようとする課題】
【０００３】
しかしながら、前記従来の構成では、能力の小さい機種では外気温度によっては、凝縮器側の温度が低くなり、室温が低下してしまう傾向があった。
【課題を解決するための手段】
【０００４】
前記従来の課題を解決するために、従来室温のみで決定していた目標蒸発器温度を外気温度や凝縮器温度などで補正することを可能とした。
【発明の効果】
【０００５】
本発明により、能力の小さい機種でも、再熱を確実に行うことができるようになり、室温の安定性の向上につながる。
【発明を実施するための最良の形態】
【０００６】
第１の発明は、従来吸い込み温度のみから決定されていた目標蒸発気温度を外気温度に応じて補正することで、能力の小さな機種でも再熱性能を確保することができ、更なる快適性の向上を可能とする。
【０００７】
第２の発明は、従来吸い込み温度のみから決定されていた目標蒸発気温度を室温と外気温度との差に応じて補正することで、能力の小さな機種でも再熱性能を確保することができ、更なる快適性の向上を可能とする。
【０００８】
第３の発明は、従来吸い込み温度のみから決定されていた目標蒸発気温度を凝縮器温度に応じて補正することで、能力の小さな機種でも再熱性能を確保することができ、更なる快適性の向上を可能とする。
【０００９】
第４の発明は、従来吸い込み温度のみから決定されていた目標蒸発気温度を設定温度と室温の差に応じて補正することで、更なる快適性の向上を可能とする。
【００１０】
第５の発明は、従来吸い込み温度のみから決定されていた目標蒸発気温度を遠隔制御装置により設定温度が変更された場合に補正することで、更なる応答性と快適性の向上を可能とする。
【００１１】
以下、本発明の実施の形態について、図面を参照しながら説明する。なお、この実施の形態によって本発明が限定されるものではない。
【００１２】
（実施の形態１）
図１は、本発明の実施の形態１における動作を示すフローチャートである。
【００１３】
図１に示すように、再熱除湿が開始され（ＳＴ１；ＳＴとはステップを意味する（以下同じ。））、従来の手法と同様、検出された室温から目標蒸発器温度（Ｔｅｖａ）が決定されたのち（ＳＴ２）、検知された外気温度を参照する（ＳＴ３）。このとき、外気温度が、低い場合には室外の放熱量が多くなり凝縮器温度が低下してしまう。
【００１４】
能力の十分な機種では圧縮機運転周波数や室外ファン速変更にて再熱に必要な凝縮器温度が確保できたが、比較的能力の小さな機種では前記の変更を行っても十分な再熱温度が確保できなくなってしまう。
【００１５】
すると、室内の吹出し温度も低下してしまい、室温が低下してしまう。これを回避するために、外気温度があらかじめ決められた外気温度Ｔｏｕｔ１よりも低い場合目標蒸発気温度を高くシフト（＋ΔＴ１）し、Ｔｅｖａ１とする（ＳＴ４，５）ことで、吹出し温度の低下を防ぎ、室温を維持させることで、快適性の更なる向上を図る。
【００１６】
逆に、外気温度があらかじめ決められた外気温度Ｔｏｕｔ２よりも高い場合（ＳＴ６）には、十分な凝縮器温度を確保できるので、目標蒸発気温度を低くシフト（−ΔＴ２）しＴｅｖａ２とする（ＳＴ７）ことにより、除湿性能の向上を図る。この新しく設定された、Ｔｅｖａ１または２に基づき従来の手法にある周波数制御を行う（ＳＴ８）。
【００１７】
（実施の形態２）
図２は、本発明の実施の形態２における動作を示すフローチャートである。
【００１８】
図２に示すように、再熱除湿が開始され（ＳＴ１）従来の手法と同様、検出された室温から目標蒸発器温度（Ｔｅｖａ）が決定されたのち（ＳＴ２）、検知された外気温度と室温とを参照する（ＳＴ９）。外気温度が室温に比べ大きく低い場合には、室外の放熱量が多くなり凝縮器温度が低下してしまう。能力の十分な機種では圧縮機運転周波数や室外ファン速変更にて再熱に必要な凝縮器温度が確保できたが、比較的能力の小さな機種では前記の変更を行っても十分な再熱温度が確保できなくなってしまう。
【００１９】
すると、室内の吹出し温度も低下してしまい、室温が低下してしまう。これを回避するために、室温から外気温度を引いた値があらかじめ決められたＴ１よりも大きい場合、目標蒸発気温度を高くシフト（＋ΔＴ３）し、Ｔｅｖａ３とする（ＳＴ１０，１１）ことで、吹出し温度の低下を防ぎ、室温を維持させることで、快適性の更なる向上を図る。
【００２０】
逆に、室温から外気温度を引いた値があらかじめ決められたＴ２よりも小さい場合（ＳＴ１２）には、十分な凝縮器温度を確保できるので、目標蒸発気温度を低くシフト（−ΔＴ４）しＴｅｖａ４とする（ＳＴ１３）ことにより、除湿性能の向上を図る。この新しく設定された、Ｔｅｖａ３または４に基づき従来の手法にある周波数制御を行う（ＳＴ１４）。
【００２１】
（実施の形態３）
図３は、本発明の実施の形態３における動作を示すフローチャートである。
【００２２】
図３に示すように、再熱除湿が開始され（ＳＴ１）従来の手法と同様、検出された室温から目標蒸発器温度（Ｔｅｖａ）が決定されたのち（ＳＴ２）、検知された凝縮器温度を参照する（ＳＴ１５）。凝縮器温度が低い場合再熱能力が低下して、室温の低下をまねいてしまう。通常室外ファン回転数を低下させることで、必要な凝縮器温度を確保しているが、比較的能力の小さな機種では、室外ファン回転数を下げられる限界まで下げても、必要な凝縮器温度が確保できない場合がある。
【００２３】
これに対応するために、凝縮器温度があらかじめ決められた温度Ｔｃｏｎｄよりも低い場合には（ＳＴ１６）、室外ファン回転数の確認を行い、回転数が最低回転数であった場合には（ＳＴ１７）、目標蒸発気温度を高くシフト（＋ΔＴ５）し、Ｔｅｖａ５とする（ＳＴ１８）ことで、吹出し温度の低下を防ぎ、室温を維持させることで、快適性の更なる向上を図る。この新しく設定された、Ｔｅｖａ５に基づき従来の手法にある周波数制御を行う（ＳＴ１９）。
【００２４】
（実施の形態４）
図４は、本発明の実施の形態４における動作を示すフローチャートである。
【００２５】
図４に示すように、再熱除湿が開始され（ＳＴ１）従来の手法と同様、検出された室温から目標蒸発器温度（Ｔｅｖａ）が決定されたのち（ＳＴ２）、検知された室温と設定温度を参照する（ＳＴ２０）。通常、室温が設定温度に対して低い場合には、室外ファン回転数を低下させることで、凝縮器温度を上昇させ再熱能力を増加させているが、比較的能力の小さな機種では、室外ファン回転数を下げられる限界まで下げても、必要な再熱能力が確保できない場合がある。
【００２６】
これに対応するために、設定温度から室温を引いた値があらかじめ設定されたＴ３より大きい場合には（ＳＴ２１）、室外ファン回転数の確認を行い、回転数が最低回転数であった場合には（ＳＴ２２）、目標蒸発気温度を高くシフト（＋ΔＴ６）し、Ｔｅｖａ６とする（ＳＴ２３）ことで、吹出し温度の低下を防ぎ、室温を維持させることで、快適性の更なる向上を図る。この新しく設定された、Ｔｅｖａ５に基づき従来の手法にある周波数制御を行う（ＳＴ２４）。
【００２７】
（実施の形態５）
図５は、本発明の実施の形態５における動作を示すフローチャートである。
【００２８】
図５に示すように、再熱除湿が開始され（ＳＴ１）従来の手法と同様、検出された室温から目標蒸発器温度（Ｔｅｖａ）が決定されたのち（ＳＴ２）、遠隔制御装置により設定温度が上げられた場合（ＳＴ２５）、目標蒸発気温度を高くシフト（＋ΔＴ７）し、Ｔｅｖａ７とする（ＳＴ２６）。
【００２９】
一方、遠隔制御装置により設定温度が上げられた場合（ＳＴ２７）、目標蒸発気温度を低くシフト（−ΔＴ８）し、Ｔｅｖａ８とする（ＳＴ２８）。この新しく設定された、Ｔｅｖａ５に基づき従来の手法にある周波数制御を行う（ＳＴ２９）ことにより、温度設定変更に対する応答性を向上させることを可能とする。
【産業上の利用可能性】
【００３０】
以上のように、本発明にかかる空気調和機の制御方法によれば、居住空間の快適性を向上させることができるので、室内、室外熱交換器、室内熱交換器温度センサと室内、室外ファンを備えた機器に応用可能である。
【図面の簡単な説明】
【００３１】
【図１】本発明の実施の形態１における動作を示すフローチャート
【図２】本発明の実施の形態２における動作を示すフローチャート
【図３】本発明の実施の形態３における動作を示すフローチャート
【図４】本発明の実施の形態４における動作を示すフローチャート
【図５】本発明の実施の形態５における動作を示すフローチャート
【符号の説明】
【００３２】
ＳＴ０１〜ＳＴ２９  フローチャート中のステップ
Ｔｅｖａ、Ｔｅｖａ１〜８  目標蒸発器温度
ΔＴ１〜ΔＴ８  目標蒸発器温度シフト値
Ｔｏｕｔ１、２  外気温度
Ｔ１〜３  温度差
【図１】
2008292027.tif 000003
【図２】
2008292027.tif 000004
【図３】
2008292027.tif 000005
【図４】
2008292027.tif 000006
【図５】
2008292027.tif 000007